(57)【要約】【課題】  複数の給紙装置を備え、複数の給紙装置から１の給紙装置を自動的に選択できる画像形成装置において、画像サイズと用紙サイズとが多少相違している場合でも、自動選択が可能な画像形成装置を提供する。【解決手段】  複数の給紙装置２０Ａ，２０Ｂ，２０Ｃ，２０Ｄと、各給紙装置に収容された用紙サイズを登録した用紙サイズ登録手段１０１と、原稿サイズ指定手段１０４と、読込倍率設定手段１０５と、原稿サイズと読込倍率とから画像サイズを算出する画像サイズ算出手段１０７と、前記複数の給紙装置から１の給紙装置を選択する給紙装置選択手段１０２と、画像サイズ許容幅設定手段１０３とを有し、原稿サイズが指定されると、前記給紙装置選択手段が前記画像サイズ許容幅設定手段に予め入力された許容幅の範囲内に含まれる用紙サイズの用紙が収容された給紙装置を選択する。【選択図】      図１
2005255349.tif 000002
【特許請求の範囲】
【請求項１】
複数の給紙装置と、各給紙装置に収容された用紙サイズを登録した用紙サイズ登録手段と、プリント用紙サイズ指定手段と、前記複数の給紙装置から１の給紙装置を選択する給紙装置選択手段と、画像サイズ許容幅設定手段とを有し、プリント用紙サイズが指定されると、前記給紙装置選択手段がプリント用紙サイズから決まる画像サイズに対して前記画像サイズ許容幅設定手段に予め入力された許容幅の範囲内に含まれる用紙サイズの用紙が収容された給紙装置を選択することを特徴とする画像形成装置。
【請求項２】
読込倍率設定手段と、プリント用紙サイズと読込倍率とから画像サイズを算出する画像サイズ算出手段と、を有し、プリント用紙サイズと読込倍率が指定され画像サイズが算出されると、算出された画像サイズに対して前記画像サイズ許容幅設定手段に予め入力された許容幅の範囲内に含まれる用紙サイズの用紙が収容された給紙装置を選択することを特徴とする請求項１記載の画像形成装置。
【請求項３】
前記画像サイズ許容幅設定手段に入力される許容幅が、プリント用紙サイズ又は画像サイズに対してプラス方向とマイナス方向の双方に設定されていることを特徴とする請求項１又は２記載の画像形成装置。
【請求項４】
前記画像サイズ許容幅設定手段に入力される許容幅が、プリント用紙サイズ又は画像サイズに対してプラス方向のみに設定されていることを特徴とする請求項１又は２記載の画像形成装置。
【請求項５】
前記用紙サイズとプリント用紙サイズの一部に不定形サイズを含むことを特徴とする請求項１から４のいずれかに記載の画像形成装置。
【発明の詳細な説明】
【技術分野】
【０００１】
本発明は画像形成装置に関し、特に、複数の給紙装置に複数種類のサイズの用紙を充填し、プリント用紙サイズから給紙装置を自動的に決定して供給するタイプの画像形成装置に関する。ここで、プリント用紙サイズとは、原稿のコピーをする場合は原稿サイズのことを指し、プリンターなどで原稿を使用しない場合には、プリンター等で設定した用紙サイズのことを指すことにする。
【背景技術】
【０００２】
複写機などの画像形成装置では、複数の給紙カセットを備え、各給紙カセットのそれぞれに異なるサイズの用紙を入れておき、これらの中から必要なサイズの用紙が入った給紙カセットを選択して複写するようになっている。また、原稿を載置し、複写倍率を設定すると、画像サイズが算出され、自動的に画像サイズと一致したサイズの用紙が入った給紙カセットを選択するものもある。この場合、原稿サイズも用紙サイズも定形であり、画像サイズと用紙サイズとが完全に一致しなけれれば自動用紙選択はされない。
【０００３】
用紙としては、Ａ４、Ｂ４等の定形サイズばかりではなく、不定形の用紙を用いる場合もある。不定形の用紙は、定形の用紙とは異なり様々なサイズが存在し、通常そのサイズは縦と横の寸法がｍｍで表示されている。そして、特許文献１では、不定形の用紙を登録して、どの給紙カセットにどのサイズの用紙が入っているかを記憶させる画像形成装置を提案している。
【０００４】
前記の特許文献１では、原稿サイズについても不定形サイズの登録が可能で、原稿サイズと用紙サイズの双方を選択すると自動的に複写倍率が計算され、算出された画像サイズの用紙が入った給紙カセットが選択されるようになっている。
【０００５】
図６は、前記の特許文献１を含む従来の複写機における給紙装置の自動選択動作を説明するフローチャートである。
【０００６】
給紙装置の自動選択動作を開始すると、まず、原稿サイズと読込倍率とを設定して画像サイズが算出される（Ｓ１０１）。この画像サイズと各給紙装置に収容されている用紙サイズとを比較する（Ｓ１０２）。一致する給紙装置があれば、その給紙装置が選択され（Ｓ１０３）、完全に一致する用紙がなければ、「選択給紙装置なし」と判断して（Ｓ１０４）、自動選択されず、複写動作が停止することになる。又は、原稿サイズと用紙サイズを選択すると、自動的に複写倍率を算出し、拡大又は縮小された画像サイズとなる。
【０００７】
しかし、このような拡大又は縮小コピーは使用者の意図とは無関係にされるもので、使用者が欲しない拡大或いは縮小がされることになる。また、実際には、一定の範囲内の相違であれば、不定形サイズの原稿画像を定形サイズなどのサイズの異なる用紙にコピーしても問題とならない場合も多い。
【特許文献１】特開平８−３３４９３８        図４、  段落００５９
【発明の開示】
【発明が解決しようとする課題】
【０００８】
本発明は、このような実情から考えられたもので、複数の給紙装置を備え、複数の給紙装置から１の給紙装置を自動的に選択できる画像形成装置において、画像サイズと用紙サイズとが多少相違している場合でも、自動選択が可能な画像形成装置を提供することを目的としている。
【課題を解決するための手段】
【０００９】
前記の目的を達成するために本願の請求項１の画像形成装置は、複数の給紙装置と、各給紙装置に収容された用紙サイズを登録した用紙サイズ登録手段と、プリント用紙サイズ指定手段と、前記複数の給紙装置から１の給紙装置を選択する給紙装置選択手段と、画像サイズ許容幅設定手段とを有し、プリント用紙サイズが指定されると、前記給紙装置選択手段がプリント用紙サイズから決まる画像サイズに対して前記画像サイズ許容幅設定手段に予め入力された許容幅の範囲内に含まれる用紙サイズの用紙が収容された給紙装置を選択することを特徴としている。
【００１０】
本願の請求項２の画像形成装置は、読込倍率設定手段と、プリント用紙サイズと読込倍率とから画像サイズを算出する画像サイズ算出手段と、を有し、プリント用紙サイズと読込倍率が指定され画像サイズが算出されると、算出された画像サイズに対して前記画像サイズ許容幅設定手段に予め入力された許容幅の範囲内に含まれる用紙サイズの用紙が収容された給紙装置を選択することを特徴としている。
【００１１】
本願の請求項３の画像形成装置は、前記画像サイズ許容幅設定手段に入力される許容幅が、プリント用紙サイズ又は画像サイズに対してプラス方向とマイナス方向の双方に設定されていることを特徴としている。
【００１２】
本願の請求項４の画像形成装置は、前記画像サイズ許容幅設定手段に入力される許容幅が、プリント用紙サイズ又は画像サイズに対してプラス方向のみに設定されていることを特徴としている。
【００１３】
本願の請求項５の画像形成装置は、用紙サイズとプリント用紙サイズの一部に不定形サイズを含むことを特徴としている。
〔作用〕
【００１４】
プリント用紙サイズが指定され、用紙に複写される画像サイズが決定すると、複数の給紙装置の中のどれかに、この画像サイズと同じサイズの用紙があるか否かを調べる。同じサイズの用紙があれば、その給紙装置が選択されるが、同じサイズの用紙がない場合には、選択できないことになる。しかし、画像サイズと用紙サイズとの間に相違があっても、ある程度以内の相違であれば、異なるサイズの用紙に複写しても問題がない。そこで、予め画像サイズに対してどの程度の相違まで問題がないかという許容幅を登録しておき、この許容幅内に含まれる用紙の有無を調べる。許容幅内のサイズの用紙があれば、その給紙装置を選択することとする。
【００１５】
プリント用紙サイズと読込倍率とを指定すると、原稿画像が縮小又は拡大された画像サイズが決定する。この画像サイズと一致するサイズの用紙を探し、あればその用紙が収容された給紙装置が選択される。一致するサイズの用紙がなければ、許容幅内のサイズの用紙を探し、あればその給紙装置を選択することとする。
【００１６】
許容幅をプラスとマイナスの双方に設定すれば、画像サイズより大きい用紙の場合と小さい用紙の場合の双方が選択可能となる。
【００１７】
許容幅をプラス方向にのみ有効になるようにすることで、画像サイズより大きい用紙にだけ複写され、画像サイズより小さい用紙に複写されることがなくなり、画像が欠けることを確実に防止できる。
【００１８】
画像サイズごとに許容幅を設定することで、各画像サイズの条件に応じて許容幅を設定することができ、各画像サイズの余白の大きさなど個別の事情に応じることができる。
【００１９】
プリント用紙サイズ又は用紙サイズのいずれかに不定形サイズを設定することで、不定形の原稿や用紙を使用した場合、同じサイズの用紙がなくても複写することができるようになる。
【発明の効果】
【００２０】
本発明の画像形成装置によれば、画像サイズと同じサイズの用紙がなくても、予め許容幅を登録しておくことによって、異なるサイズの用紙を自動的に選択することができ、画像形成装置の効率を上げ、使い勝手がよくなり、効率的な画像形成が可能となる。また、不定形サイズの原稿を定形サイズの用紙に複写したり、逆に定形サイズの原稿を不定形サイズの用紙に複写することができ、多様な使い方が可能となる。
【発明を実施するための最良の形態】
【００２１】
以下、本発明の実施の形態を添付図面を参照して説明する。
【００２２】
図１は本発明の実施の形態に係るカラー画像形成装置を示す図である。図１に示すカラー画像形成装置は、タンデム型カラー画像形成装置と称せられるもので、原稿自動搬送手段３０、画像読取装置６０、画像書込装置３Ｙ，３Ｍ，３Ｃ，３Ｋ，像担持体１Ｙ，１Ｍ，１Ｃ，１Ｋ、帯電装置２Ｙ，２Ｍ，２Ｃ，２Ｋ、現像装置４Ｙ，４Ｍ，４Ｃ，４Ｋ、定着装置２４，ベルト状の中間転写体６、給紙ローラ２１Ａ，２１Ｂ，２１Ｃ、搬送系２２等を有する。
【００２３】
原稿自動搬送手段３０は両面又は片面の原稿ｄを自動搬送する手段である。画像読取装置６０は、移動式光学系により画像情報が読み取られる装置で、原稿載置台上から給送される多数枚の原稿ｄの内容を、３枚の可動ミラー６０Ｃで反射し、集光レンズ６０Ｂにより、ＣＣＤからなる撮像素子６０Ａに結像して読み取る。
【００２４】
イエロー色の画像を形成する画像形成部１０Ｙは、像形成体としての像担持体１Ｙの周囲に配置された帯電装置２Ｙ、画像書込装置３Ｙ、現像装置４Ｙ及びクリーニング装置８Ｙを有する。マゼンタ色の画像を形成する画像形成部１０Ｍは、像形成体としての像担持体１Ｍ、帯電装置２Ｍ、画像書込装置３Ｍ、現像装置４Ｍ及びクリーニング装置８Ｍを有する。シアン色の画像を形成する画像形成部１０Ｃは、像形成体としての像担持体１Ｃ、帯電装置２Ｃ、画像書込装置３Ｃ、現像装置４Ｃ及びクリーニング装置８Ｃを有する。黒色画像を形成する画像形成部１０Ｋは、像形成体としての像担持体１Ｋ、帯電装置２Ｋ、画像書込装置３Ｋ、現像装置４Ｋ及びクリーニング装置８Ｋを有する。帯電装置２Ｙと画像書込装置３Ｙ、帯電装置２Ｍと画像書込装置３Ｍ、帯電装置２Ｃと画像書込装置３Ｃ及び帯電装置２Ｋと画像書込装置３Ｋとは、潜像形成手段を構成する。
【００２５】
中間転写体６は、無端状のベルトであり、複数のローラにより張架され、回動可能に支持されている。
【００２６】
撮像素子６０Ａ上に結像した画像情報の信号は、図示しない画像処理部に送られる。画像処理部は、アナログ処理、Ａ／Ｄ変換、シェーディング補正、画像圧縮処理等を行った後、画像書込装置３Ｙ，３Ｍ，３Ｃ，３Ｋに各色ごとの信号を送る。
【００２７】
画像書込装置３Ｙ，３Ｍ，３Ｃ，３Ｋでは、レーザ光源としての半導体レーザを用い、半導体レーザが出射した光ビームはポリゴンミラーなどの光学要素により走査光ビームに形成されて被走査体としての像担持体１Ｙ，１Ｍ，１Ｃ，１Ｋに入射し、各色の静電潜像を形成する。
【００２８】
画像形成部１０Ｙ，１０Ｍ，１０Ｃ，１０Ｋより形成された各色の画像は、回動する中間転写体６上に１次転写装置としての転写装置７Ｙ，７Ｍ，７Ｃ，７Ｋにより逐次転写されて（１次転写）、合成されたカラー画像が形成される。給紙カセットからなる給紙装置２０Ａ，２０Ｂ，２０Ｃと、手差しトレイからなる給紙装置２０Ｄ内に収容された記録紙Ｐは、給紙ローラ２１Ａ，２１Ｂ，２１Ｃ，２１Ｄにより給紙され、搬送系２２を経て、レジストローラ２３でタイミングを合わせて２次転写装置としての転写装置７Ａに搬送され、記録紙Ｐ上にカラー画像が転写される（２次転写）。給紙装置としては、上記の給紙カセットの他に、カラー画像が転写された記録紙Ｐは、定着装置２４により定着処理され、排紙ローラ２５に挟持されて機外の排紙トレイ２６上に載置される。
【００２９】
一方、転写装置７Ａにより記録紙Ｐにカラー画像を転写した後、記録紙Ｐを分離した中間転写体６は、クリーニング装置８Ａによりクリーニングされる。
【００３０】
５Ｙ，５Ｍ，５Ｃ，５Ｋは、現像装置４Ｙ，４Ｍ，４Ｃ，４Ｋにそれぞれ新規トナーを補給するトナー補給手段である。
【００３１】
図２は、図１の画像形成装置における制御装置のブロック図である。制御装置には、全体制御部１００とプリンタ制御部２００の２つのコンピュータがあり、それぞれが、ＣＰＵと、フラッシュメモリなどの記憶手段を有し、記憶手段にインストールされたプログラムに従って画像形成装置の全体を制御する。
【００３２】
全体制御部１００は、画像読取装置６０が読み取った原稿画像に必要な処理を行い、転写紙を選択し、複写部数や片面／両面コピーなどの複写モードを選択し、プリンタに指示する部分である。プリンタ制御部２００は、スキャナ、給紙装置、像担持体等を駆動して転写紙に原稿画像を転写する部分である。
【００３３】
全体制御部１００には、操作部１２０、表示部１３０、給紙装置２０Ａ，２０Ｂ，２０Ｃ，２０Ｄ、画像読取装置６０、画像出力部１４０が接続されている。操作部１２０には、テンキー等の各種のキーがあり、ここから印刷枚数や用紙サイズの選択、倍率等々を入力する。表示部１３０は、液晶パネルなどで構成され、操作部１２０で入力した条件を表示したり、画像形成装置の状態を表示したりするが、タッチパネル方式の場合には、操作部１３０の一部ともなっている。
【００３４】
給紙装置２０Ａ，２０Ｂ，２０Ｃ，２０Ｄは、通常１以上の給紙カセットと、通常１の手差用トレイとからなり、それぞれに用紙の有無を検知する用紙検知手段と給紙ローラ２１（図１）などが設けられている。給紙装置２０Ａ，２０Ｂ，２０Ｃは画像形成装置に用紙を供給する給紙位置と、給紙カセット内に新たな用紙を補充するために画像形成装置から取り外したり、引き出したりする位置との間で移動自在であり、給紙カセットが給紙位置にあるとき、用紙検知手段により用紙があるか否かが検知される。また、給紙装置２０Ｄの場合は、使用しない場合は、折り畳んで収納できるようになっているものが多い。この場合、手差しトレイが使用位置にあって、かつ、用紙がセットされていなければ、用紙検知手段は用紙を検知できず、他の状態、すなわち、折り畳んだ状態や開いていても用紙の無い状態は、用紙を検知できない。したがって、用紙検知手段は、用紙の有無に限らず、給紙カセットや手差しトレイが給紙位置にあるか否かをも検知することができることになる。
【００３５】
全体制御部１００内には、用紙サイズ登録手段１０１、給紙装置選択手段１０２、画像サイズ許容幅設定手段１０３、プリント用紙サイズ指定手段１０４、読込倍率設定手段１０５、画像処理部１０６及び画像サイズ算出手段１０７が設けられている。
【００３６】
用紙サイズ登録手段１０１は、複数の給紙装置２０Ａ，２０Ｂ，２０Ｃ，２０Ｄのそれぞれに収容されている用紙のサイズを、各給紙装置ごとに登録するものである。給紙装置選択手段１０２は、プリント用紙サイズと読込倍率から画像サイズが決まると、この画像サイズに合った用紙の収容された給紙装置を自動選択するものである。画像サイズ許容幅設定手段１０３については後述する。プリント用紙サイズ指定手段１０４は、プリント用紙サイズを指定するものである。プリント用紙サイズは、原稿をコピーする場合は、原稿のサイズのことであり、原稿を使用しないプリンターの場合は、プリンターで設定した用紙サイズのことである。原稿の場合、このプリント用紙サイズが定形サイズであれば、自動的にサイズが読み取られるようになっている。不定形サイズの場合は、特許文献１に記載されているように、予めサイズを登録しておき、登録されたサイズの中から選択することで指定する。プリンターの場合は、プリンターにも定形サイズ、不定形サイズの双方を予め登録しておき、プリンターの方からサイズの指定を電気信号により行うことになる。読込倍率設定手段１０５は、原稿を複写する場合の拡大や縮小の倍率を設定するものである。プリント用紙サイズが指定され、読込倍率が決定すると、画像サイズ算出手段１０７が、画像サイズを算出する。読込倍率が等倍の場合は、プリント用紙サイズと画像サイズとは同一になる。
【００３７】
画像処理部１０６は、画像読取装置６０で読み込まれた原稿の画像データにアナログ処理、Ａ／Ｄ変換、シェーディング補正、画像圧縮処理等の必要な画像処理をするものである。原稿が複数枚あれば、各原稿の画像データと、印刷部数とは一時的に記憶される。
【００３８】
画像処理部１０６で処理された画像データは、全体制御部１００からの指示に応じて画像出力部１４０に送り出され、プリンタ制御部２００で画像書込装置３Ｙ，３Ｍ，３Ｃ，３Ｋから像担持体１Ｙ，１Ｍ，１Ｃ，１Ｋ上に潜像が形成され、現像、定着を経て用紙上にプリントされることになる。
【００３９】
画像形成装置のプリント用紙サイズ指定手段１０４でプリント用紙サイズを指定し、読込倍率設定手段１０５で読込倍率を設定すると、画像サイズが画定する。
【００４０】
たとえば、プリント用紙サイズが２０５ｍｍ×２９０ｍｍの不定形の原稿があり、これを等倍でコピーする場合、画像サイズはプリント用紙サイズと同じ２０５ｍｍ×２９０ｍｍとなる。これと同じサイズの不定形用紙が給紙装置２０Ａ，２０Ｂ，２０Ｃ，２０Ｄのいずれかに入っていれば、画像形成装置は、自動的に給紙装置を選択してコピーをすることができるが、同じサイズの不定形用紙が無い場合には、複写動作が停止することになる。
【００４１】
しかし、この場合、Ａ４サイズ（２１０ｍｍ×２９７ｍｍ）の用紙にコピーしても、殆ど問題がないと考えられるので、このような場合には、自動的にＡ４サイズの収容された給紙装置を選択してコピーを継続できるようにすることが望ましいと言える。
【００４２】
また、プリント用紙サイズが１８５ｍｍ×２６０ｍｍの不定形の原稿があり、これを等倍でコピーする場合、同じサイズの用紙が無ければ、Ｂ５サイズ（１８２ｍｍ×２５７ｍｍ）の用紙にコピーしても、問題とならない場合も多いと考えられる。
【００４３】
そこで、本発明では、各画像サイズについて、それと同じ大きさの用紙がなくても、一定の範囲内の大きさの差であれば、異なるサイズの用紙にコピーができるようにしている。この許容できる幅を登録するのが、画像サイズ許容幅設定手段１０３である。ここでの許容幅の登録方法を以下に説明する。
【００４４】
図３は、不定形の画像サイズを入力するときの操作部１２０の図である。この実施例に示す操作部１２０としては、表示部１３０内に表示される液晶のタッチパネルが使用されている。この図によって、画像サイズ許容幅設定手段１０３において、不定形の画像サイズを登録する方法を説明する。
【００４５】
操作部１２０にある特殊紙設定１２１を押すと、設定画面１２２が表示され、設定画面１２２内の不定形サイズ１２３のボタンを押すと、入力画面１２４が表示される。入力画面１２４内の△マークを押すとサイズ入力の縦サイズの入力ができる状態になるので、テンキーで縦サイズを入力する。次に、▽を押して横サイズの入力に切り替え、テンキーで横サイズを入力する。入力が終了したら、「ＯＫ」ボタン１２５を押すことで、選択された給紙装置に入力された用紙サイズが登録がされる。入力ミスがあった場合には、「キャンセル」ボタン１２６を押すと、前の入力画面１２４に戻る。
【００４６】
たとえば、入力画面１２４で縦２０５ｍｍ、横２９０ｍｍと入力し、「ＯＫ」ボタン１２５を押す。次に、「許容幅」ボタン１２７を押すと、今入力した縦２０５ｍｍ、横２９０ｍｍの不定形の画像サイズに対する許容幅を入力する図４に示すような画面に切り替わる。
【００４７】
ここで、縦２０５ｍｍ、横２９０ｍｍの不定形の画像サイズに対する許容幅を入力する。許容幅は、画像サイズと用紙サイズとの差がどの程度までならコピーしてよいか、という数字で、使用者が任意に設定することができるものである。
【００４８】
許容幅設定画面１２８内の△マークを押して縦方向の許容幅を入力し、次に、▽を押して横方向の許容幅を入力する。入力が終わったら「ＯＫ」ボタン１２５を押して登録する。画像サイズ許容幅設定手段１０３には、画像サイズと許容幅とが１対のデータとなって登録される。入力ミスがあった場合には、「キャンセル」ボタン１２６を押し、入力し直す。許容幅設定画面１２８から入力画面１２４に戻りたい場合は、「戻る」ボタン１２９を押すことで移動できる。
【００４９】
たとえば、画像サイズが不定形の縦２０５ｍｍ、横２９０ｍｍサイズの場合、上下左右の余白部分が大きいと仮定して、縦２０５ｍｍに対して±１０ｍｍ、横２９０ｍｍに対して同じく±１０ｍｍと設定する。
【００５０】
また、画像サイズが１８５ｍｍ×２６０ｍｍの不定形サイズの場合、たとえば、余白部分が小さいと仮定して、縦１８５ｍｍに対して±３ｍｍ、横２６０ｍｍに対して同じく±５ｍｍのように設定する。図４における許容幅の値は、各画像サイズの事情に応じ、各サイズごとに決めることができる。
【００５１】
図５は、本発明の画像形成装置によって給紙装置が選択される動作を説明フローチャートである。給紙装置の自動選択動作を開始すると、まず、プリント用紙サイズ指定手段１０４でプリント用紙サイズを指定し、読込倍率設定手段１０５で読込倍率を設定する。これらのデータから画像サイズが算出される（Ｓ２０１）。画像サイズが算出されると、給紙装置選択手段１０２は、この画像サイズと各給紙装置に収容されている用紙サイズとを比較する（Ｓ２０２）。一致する給紙装置があれば、その給紙装置が選択され（Ｓ２０３）るが、完全に一致する用紙がなければ、画像サイズ許容幅設定手段１０３に登録された許容幅を参照し、所望のサイズ±許容値の範囲内で用紙を探す（Ｓ２０４）。
【００５２】
画像サイズ２０５ｍｍ×２９０ｍｍの場合、縦横サイズの許容値±１０ｍｍの範囲で用紙を探す。すなわち、縦が１９５〜２１５ｍｍの範囲で、横が２８０〜３００ｍｍの範囲にある用紙であれば、使用可能となる。そして、画像サイズより大きいＡ４サイズ（２１０ｍｍ×２９７ｍｍ）が上記許容値内に含まれるので、給紙装置２０Ａ，２０Ｂ，２０Ｃ，２０Ｄの中からＡ４サイズの用紙が収容された給紙装置が選択されることになる（Ｓ２０３）。
【００５３】
また、画像サイズが１８５ｍｍ×２６０ｍｍの場合、縦１８５ｍｍに対して±３ｍｍ、横２６０ｍｍに対して同じく±５ｍｍが許容される範囲である。そこでこの範囲内に入る用紙を探すと、画像サイズより小さいが、Ａ４サイズがこの許容値内に含まれるので、Ａ４サイズの用紙が収容された給紙装置を選択する（Ｓ２０３）。
【００５４】
設定された許容幅の範囲内に該当する用紙が無い場合には、選択された給紙装置なしと判断され（Ｓ２０５）、自動給紙装置選択動作を停止する。
【００５５】
前記の例では、画像サイズが不定形の場合に、これに近いサイズの定形用紙を使用している。しかし、給紙装置に不定形の用紙が含まれている場合にも、同じやり方が適用可能である。また、逆に、画像サイズが定形で、給紙装置に定形と不定形の用紙がある場合にも適用可能である。
【００５６】
また、前記の例では許容幅を、プラス側とマイナス側とで同じ幅にしたが、プラス側は大きく、マイナス側は小さくするなど異なる幅を設定してもよい。また、画像サイズより小さい用紙に複写するのは具合が悪い場合には、プラス側とマイナス側の双方の許容幅を設定してもプラス側のみを有効な許容幅として使用するようにしたり、マイナス側は設定しない構成としてもよい。このようにプラス側のみを有効にすることによって、余白が小さい場合でも画像が欠けるのを確実に防止することができる。
【図面の簡単な説明】
【００５７】
【図１】本発明の実施の形態に係るカラー画像形成装置を示す図である。
【図２】図１の画像形成装置における制御装置のブロック図である。
【図３】不定形の画像サイズを入力するときの操作部の図である。
【図４】不定形サイズの画像サイズに対する許容幅を入力する状態を示す図である。
【図５】本発明の画像形成装置によって給紙装置が選択される動作を説明フローチャートである。
【図６】従来の複写機における給紙装置の自動選択動作を説明するフローチャートである。
【符号の説明】
【００５８】
１０Ｙ，１０Ｍ，１０Ｃ，１０Ｋ    画像形成部
２０Ａ，２０Ｂ，２０Ｃ，２０Ｄ    給紙装置
６０      画像読取装置
１０１    用紙サイズ登録手段
１０２    給紙装置選択手段
１０３    画像サイズ許容幅設定手段
１０４    プリント用紙サイズ指定手段
１０５    読込倍率設定手段
１０６    画像処理部
１２０    操作部
ｄ        原稿
Ｐ        記録紙
【図１】
2005255349.tif 000003
【図２】
2005255349.tif 000004
【図３】
2005255349.tif 000005
【図４】
2005255349.tif 000006
【図５】
2005255349.tif 000007
【図６】
2005255349.tif 000008